(57)【要約】      （修正有）【課題】計測装置との通信により計測データを取得する際の携帯端末の電池の消費電力を削減する。【解決手段】計測装置を特定するための特定情報と、計測データを計測装置との通信により入力するかを示す入力情報とを対応して記憶する記憶手段と、計測データを計測装置との通信により入力する通信入力手段と、ユーザにより入力された特定情報を受け付ける特定情報受付手段と、特定情報受付手段で受け付けた特定情報に対応する入力情報を記憶手段から取得する取得手段と、取得手段で取得した入力情報が通信により計測データを入力することを示すか否かを判定する通信判定手段と、通信判定手段で、取得手段で取得した入力情報が計測データの入力を通信により行うと判定された後に、特定情報により特定される計測装置から計測データを通信入力手段により入力する際に、表示装置に表示された画面の輝度を低下させる表示制御手段とを備える。【選択図】図１
2010147734.tif 000002
【特許請求の範囲】
【請求項１】
計測装置が記憶している計測データを入力する、表示装置を有する携帯端末であって、
前記計測装置を特定するための特定情報と、当該計測装置が記憶している計測データを当該計測装置との通信により入力するかを示す入力情報とを対応して記憶する記憶手段と、
前記計測装置が記憶している計測データを当該計測装置との通信により入力する通信入力手段と、
ユーザにより入力された前記特定情報の入力を受け付ける特定情報受付手段と、
前記特定情報受付手段で受け付けた特定情報に対応する入力情報を前記記憶手段から取得する取得手段と、
前記取得手段で取得した入力情報が通信により計測データを入力することを示すか否かを判定する通信判定手段と、
前記通信判定手段で、前記取得手段で取得した入力情報が計測データの入力を通信により行うことを示すと判定された後に、前記特定情報受付手段で受け付けた特定情報により特定される計測装置から当該計測装置が記憶している計測データを前記通信入力手段により入力する際に、前記表示装置に表示された画面の輝度を低下させる表示制御手段と、
を備えることを特徴とする携帯端末。
【請求項２】
前記記憶手段は、更に、該記憶手段に記憶された計測装置の前記特定情報に対応して、当該計測装置の設置場所を示す場所情報を記憶し、
前記通信判定手段で、前記取得手段で取得した入力情報が計測データの入力を通信により行うことを示すと判定された場合に、前記記憶手段に記憶されている入力情報が計測データの入力を通信により行うことを示し、かつ前記記憶手段に記憶されている場所情報が前記特定情報受付手段で受け付けた特定情報に対応した場所情報と同じである計測装置を検索することにより特定する特定手段と、
を更に備え、
前記表示制御手段は、前記特定手段で特定された計測装置から当該計測装置が記憶している計測データを前記通信入力手段により入力する際に、前記表示装置に表示された画面の輝度を低下させることを特徴とする請求項１に記載の携帯端末。
【請求項３】
前記特定手段で特定された計測装置のすべてから前記通信入力手段により計測データが入力されたか否かを判定する入力判定手段と、
を更に備え、
前記表示制御手段は、更に、前記入力判定手段で、前記特定手段で特定された計測装置のすべてから前記通信入力手段により計測データが入力されたと判定された場合に、前記表示装置に表示された画面の輝度を上昇させることを特徴とする請求項２に記載の携帯端末。
【請求項４】
前記表示制御手段は、前記特定手段で特定された計測装置から当該計測装置が記憶している計測データを前記通信入力手段により入力する際に、前記表示装置の画面の表示を終了させることを特徴とする請求項２又は３に記載の携帯端末。
【請求項５】
ユーザにより入力された計測データの入力を受け付ける入力受付手段と、
を更に備え、
前記表示制御手段は、更に、前記通信判定手段で、前記取得手段で取得した入力情報が計測データの入力を通信により行わないことを示すと判定された場合は、前記入力受付手段で前記計測データの入力を受け付けるべく、前記表示装置に表示された画面の輝度を低下させることなく表示することを特徴とする請求項１乃至４のいずれか１項に記載の携帯端末。
【請求項６】
前記計測装置の数を示す閾値を記憶する閾値記憶手段と、
前記特定手段で特定された計測装置の数が前記閾値記憶手段に記憶された閾値よりも多いか否かを判定する閾値判定手段と、
を更に備え、
前記表示制御手段は、前記閾値判定手段で、前記特定手段で特定された計測装置の数が前記閾値記憶手段に記憶された閾値よりも多いと判定された場合に、前記特定手段で特定された計測装置から計測データを前記通信入力手段により入力する際に、前記表示装置に表示された画面の輝度を低下させることを特徴とする請求項２乃至６のいずれか１項に記載の携帯端末。
【請求項７】
前記通信入力手段で、前記特定手段で特定された計測装置から入力された計測データが含まれる帳票の出力指示を受け付ける出力受付手段と、
前記出力受付手段で受け付けた出力指示に応じて当該帳票を出力する出力手段と、
を更に備え、
前記閾値判定手段で、前記特定手段で特定された計測装置の数が前記閾値記憶手段に記憶された閾値よりも多いと判定された場合に、前記出力手段による出力を行う際に、前記表示装置に表示された画面の輝度を低下させることを特徴とする請求項６に記載の携帯端末。
【請求項８】
計測装置が記憶している計測データを入力する、表示装置を有する携帯端末における制御方法であって、
前記携帯端末の記憶手段が、前記計測装置を特定するための特定情報と、当該計測装置が記憶している計測データを当該計測装置との通信により入力するかを示す入力情報とを対応して記憶装置に記憶する記憶工程と、
前記携帯端末の通信入力手段が、前記計測装置が記憶している計測データを当該計測装置との通信により入力する通信入力工程と、
前記携帯端末の特定情報受付手段が、ユーザにより入力された前記特定情報の入力を受け付ける特定情報受付工程と、
前記携帯端末の取得手段が、前記特定情報受付工程で受け付けた特定情報に対応する入力情報を前記記憶装置から取得する取得工程と、
前記携帯端末の通信判定手段が、前記取得工程で取得した入力情報が通信により計測データを入力することを示すか否かを判定する通信判定工程と、
前記携帯端末の表示制御手段が、前記通信判定工程で、前記取得工程で取得した入力情報が計測データの入力を通信により行うことを示すと判定された後に、前記特定情報受付工程で受け付けた特定情報により特定される計測装置から当該計測装置が記憶している計測データを前記通信入力工程で入力する際に、前記表示装置に表示された画面の輝度を低下させる表示制御工程と、
を備えることを特徴とする携帯端末における制御方法。
【請求項９】
計測装置が記憶している計測データを入力する、表示装置を有する携帯端末において実行可能なプログラムであって、
前記携帯端末を、
前記計測装置を特定するための特定情報と、当該計測装置が記憶している計測データを当該計測装置との通信により入力するかを示す入力情報とを対応して記憶する記憶手段と、
前記計測装置が記憶している計測データを当該計測装置との通信により入力する通信入力手段と、
ユーザにより入力された前記特定情報の入力を受け付ける特定情報受付手段と、
前記特定情報受付手段で受け付けた特定情報に対応する入力情報を前記記憶手段から取得する取得手段と、
前記取得手段で取得した入力情報が通信により計測データを入力することを示すか否かを判定する通信判定手段と、
前記通信判定手段で、前記取得手段で取得した入力情報が計測データの入力を通信により行うことを示すと判定された後に、前記特定情報受付手段で受け付けた特定情報により特定される計測装置から当該計測装置が記憶している計測データを前記通信入力手段により入力する際に、前記表示装置に表示された画面の輝度を低下させる表示制御手段として機能させることを特徴とするプログラム。
【発明の詳細な説明】
【技術分野】
【０００１】
本発明は、画面表示の制御技術に関する。
【背景技術】
【０００２】
近年、コンピュータの機能向上に伴い、携帯可能なコンピュータ（携帯端末）の電池の消費電力量が増加しコンピュータの稼働時間が短くなってきている。
【０００３】
これを改善するために、特許文献１には、周囲が暗く、かつキー入力がある又は着呼がある場合には、液晶ディスプレイの照明であるバックライトの点灯を行い、一定時間が経過すると消灯することが提案されている。
【特許文献１】特開平９−２７８４４号公報
【発明の開示】
【発明が解決しようとする課題】
【０００４】
しかしながら、例えば、ガスの検針業務において、携帯端末が、各家庭のガスの使用量のデータ（検針データ）を各家庭のガスメータから通信により取得する場合、ガスメータと携帯端末とが通信を行う間に、液晶ディスプレイのバックライトを点灯されてしまう。
【０００５】
例えば、マンションのような集合住宅での検針業務では、各家庭の検針データをまとめて無線により取得するため、無線通信を行う長い間、液晶ディスプレイのバックライトを点灯されてしまっていた。
【０００６】
このような場合などは、操作する必要がないにも関わらず無駄に電気を使用してしまい効率的に携帯端末の電池を使用することが難しかった。
【０００７】
更に、従来では、一定時間が経過するとディスプレイを消していたため、ディスプレイの表示が必要な場合は、逐次、何らかの操作をしなければならず、その操作が煩雑であり効率的に業務を行うことが困難であった。
【０００８】
さらに、例えば、携帯端末が、複数のガスメータからガスの使用量のデータを取得し、複数の支払い帳票を印刷する場合、同様に長い間、液晶ディスプレイのバックライトが点灯されてしまう。このような場合などは、多くの電気を使用してしまい効率的に携帯端末の電池を使用することが難しかった。
【０００９】
本発明の目的は、計測装置との通信により計測データを取得する際に、携帯端末の電池の消費電力を削減することにより、携帯端末の電池を効率的に使用する仕組みを提供することである。
【課題を解決するための手段】
【００１０】
本発明の携帯端末は、計測装置が記憶している計測データを入力する、表示装置を有する携帯端末であって、前記計測装置を特定するための特定情報と、当該計測装置が記憶している計測データを当該計測装置との通信により入力するかを示す入力情報とを対応して記憶する記憶手段と、前記計測装置が記憶している計測データを当該計測装置との通信により入力する通信入力手段と、ユーザにより入力された前記特定情報の入力を受け付ける特定情報受付手段と、前記特定情報受付手段で受け付けた特定情報に対応する入力情報を前記記憶手段から取得する取得手段と、前記取得手段で取得した入力情報が通信により計測データを入力することを示すか否かを判定する通信判定手段と、前記通信判定手段で、前記取得手段で取得した入力情報が計測データの入力を通信により行うことを示すと判定された後に、前記特定情報受付手段で受け付けた特定情報により特定される計測装置から当該計測装置が記憶している計測データを前記通信入力手段により入力する際に、前記表示装置に表示された画面の輝度を低下させる表示制御手段と、を備えることを特徴とする。
【００１１】
本発明の携帯端末における制御方法は、計測装置が記憶している計測データを入力する、表示装置を有する携帯端末における制御方法であって、前記携帯端末の記憶手段が、前記計測装置を特定するための特定情報と、当該計測装置が記憶している計測データを当該計測装置との通信により入力するかを示す入力情報とを対応して記憶装置に記憶する記憶工程と、前記携帯端末の通信入力手段が、前記計測装置が記憶している計測データを当該計測装置との通信により入力する通信入力工程と、前記携帯端末の特定情報受付手段が、ユーザにより入力された前記特定情報の入力を受け付ける特定情報受付工程と、前記携帯端末の取得手段が、前記特定情報受付工程で受け付けた特定情報に対応する入力情報を前記記憶装置から取得する取得工程と、前記携帯端末の通信判定手段が、前記取得工程で取得した入力情報が通信により計測データを入力することを示すか否かを判定する通信判定工程と、前記携帯端末の表示制御手段が、前記通信判定工程で、前記取得工程で取得した入力情報が計測データの入力を通信により行うことを示すと判定された後に、前記特定情報受付工程で受け付けた特定情報により特定される計測装置から当該計測装置が記憶している計測データを前記通信入力工程で入力する際に、前記表示装置に表示された画面の輝度を低下させる表示制御工程と、を備えることを特徴とする。
【００１２】
本発明のプログラムは、計測装置が記憶している計測データを入力する、表示装置を有する携帯端末において実行可能なプログラムであって、前記携帯端末を、前記計測装置を特定するための特定情報と、当該計測装置が記憶している計測データを当該計測装置との通信により入力するかを示す入力情報とを対応して記憶する記憶手段と、前記計測装置が記憶している計測データを当該計測装置との通信により入力する通信入力手段と、ユーザにより入力された前記特定情報の入力を受け付ける特定情報受付手段と、前記特定情報受付手段で受け付けた特定情報に対応する入力情報を前記記憶手段から取得する取得手段と、前記取得手段で取得した入力情報が通信により計測データを入力することを示すか否かを判定する通信判定手段と、前記通信判定手段で、前記取得手段で取得した入力情報が計測データの入力を通信により行うことを示すと判定された後に、前記特定情報受付手段で受け付けた特定情報により特定される計測装置から当該計測装置が記憶している計測データを前記通信入力手段により入力する際に、前記表示装置に表示された画面の輝度を低下させる表示制御手段として機能させることを特徴とする。
【発明の効果】
【００１３】
本発明によれば、計測装置との通信により計測データを取得する際に、携帯端末の電池の消費電力を削減することにより、携帯端末の電池を効率的に使用することができる。
【発明を実施するための最良の形態】
【００１４】
［第１の実施形態］
以下、本発明の第１の実施の形態について図面を参照して詳細に説明する。
【００１５】
図１は、本実施の形態に係るシステム構成を概略的に示すブロック図である。
【００１６】
本実施形態に係るシステムは、サーバ１０１と、携帯端末（ＨＴ）１０３とが、ＬＡＮ等のネットワーク１０２を介して相互に通信可能に接続された構成となっている。
【００１７】
ここで、図１に示すネットワーク１０２を介して接続されたサーバ１０１と携帯端末１０３は社内を示している。
【００１８】
サーバ１０１には、携帯端末での処理に用いる顧客情報テーブル（図８）が記憶されており、携帯端末１０３は、サーバ１０１から当該顧客情報テーブル（図８）を取得し記憶している。
【００１９】
図８は、顧客情報テーブルの一例を示す図である。
【００２０】
図８に示す顧客情報テーブルには、各顧客を特定するお客様番号（顧客の家に検針装置が１つのみ備わっている場合はお客様番号から各検針装置を特定することができる。）と、検針データの入力方法（無線通信による入力と手入力による入力とがある）と、各検針装置を特定するためのメータＩＤ（メータ（検針装置）が顧客の家に１つのみ備わっている場合は、メータＩＤから顧客を特定することができる。）と、検針装置の設置場所を示すエリア番号（同じ番号であれば同じ場所に検針装置が設置されていることを示す）と、検針データと検針データから算出される請求金額とが記憶される検針情報とがそれぞれ対応して記憶されている。
【００２１】
携帯端末１０３はサーバ１０１から顧客情報テーブルを取得し登録すると、検針員（ユーザ）は、顧客情報テーブル内の各顧客のガスメータに記憶された検針データと検針データから算出される請求金額と（検針情報）を携帯端末１０３に登録し、その請求書（帳票（検針票））を各顧客に渡すために、各顧客の家を訪問する。
【００２２】
この携帯端末１０３には、無線検針ユニット（親機）１０５と無線を介して通信可能に接続されている。無線検針ユニット（親機）１０５は、各顧客の家外に備え付けられているガスメータの無線検針ユニット（子機）１０７と無線１０６と相互に通信可能に接続されている。すなわち、携帯端末（ＨＴ）１０３と、無線検針ユニット（親機）とが、無線の通信回線１０４を介して通信可能に接続された構成で、無線検針ユニット（親機）と、無線検針ユニット（子機）とが無線の通信回線１０６を介して通信可能に接続された構成となっている。また、ガスメータには、顧客のガスの使用量を示す検針データが記憶されており、ガスメータの表示部にその使用量が表示されている。
【００２３】
ここでは、携帯端末１０３が、無線検針ユニット（親機）１０５と無線検針ユニット（子機）１０７と（無線通信）を介してガスメータが記憶している検針データを取得し、携帯端末１０３の記憶装置（ＨＤＤなど）に記憶することができる。
【００２４】
マンションなどの集合住宅には、例えば１階に、各顧客（家庭）のガスメータの無線検針ユニット（子機）１０７がそれぞれ集まって備え付けられており、携帯端末１０３は、無線通信により各顧客の検針データを各ガスメータからまとめて取得して記憶することができる。また、一軒家などの顧客（家）には、ガスメータの無線検針ユニット（子機）１０７が備え付けられていないところが多く、そのような場合は、検針データを携帯端末１０３に登録する検針員（ユーザ）は、ガスメータの表示部に表示されたガスの使用量（検針データ）を見て、手入力で検針データを携帯端末１０３に入力を行い、携帯端末１０３の記憶装置に記憶している。
【００２５】
そして、携帯端末（ＨＴ）１０３は、顧客の検針データを登録すると、当該検針データと、当該検針データから算出した請求金額（ガスの使用料金）とを含む帳票（検針票）を携帯端末１０３に備えつけられた印刷装置から印刷する。そして、ユーザは、印刷された帳票を各顧客（家）の郵便箱に入れて会社に戻る。
【００２６】
会社に戻ったユーザは、各顧客の検針データを記憶（登録）した携帯端末１０３を社内のネットワーク１０２に接続し、携帯端末１０３は、サーバ１０１に、記憶した該各顧客の検針データと請求金額とを登録するべく送信する。そして、サーバ１０１は、携帯端末から送信された各顧客の検針データと請求金額と記憶し、各顧客から該請求金額が納付されたか否かを確認する処理を行う。
【００２７】
サーバ１０１と携帯端末（ＨＴ）１０３は、コンピュータ等の情報処理装置で構成される。
【００２８】
また、サーバ１０１と、携帯端末（ＨＴ）１０３とは、それぞれが複数台あってもかまわない。
【００２９】
帳票１０８は携帯端末（ＨＴ）１０３からお客様番号、メータＩＤ、今回の指針データ（ガス使用量）、請求金額の情報を含む。帳票１０８の一例を図１３に示す。
【００３０】
図２は、図１における携帯端末１０３のハードウェア構成を概略的に示すブロック図である。
【００３１】
図２は、図１に示したハンディターミナル（携帯端末）１０３を制御するコントローラユニット２１４のハードウェア構成の一例を示すブロック図である。
【００３２】
２１４は、コントローラユニットで後述する、キー入力部２１０、表示部２１１、外部メモリ２１２、プリンタ部２１３、外部のネットワークに接続された外部装置と接続することで、各種データやデバイス情報の入出力を行う。
【００３３】
図２において、２０１はＣＰＵで、システムバス２０４に接続される各デバイスやコントローラを統括的に制御する。
【００３４】
また、ＲＯＭ２０２あるいは外部メモリ２１２には、ＣＰＵ２０１の制御プログラムであるＢＩＯＳ（Basic Input / Output System）やオペレーティングシステムプログラム（以下、ＯＳ）や、携帯端末が実行する機能を実現するために必要な後述する各種プログラム等が記憶されている。
【００３５】
２０３はＲＡＭで、ＣＰＵ２０１の主メモリ、ワークエリア等として機能する。
【００３６】
ＣＰＵ２０１は、処理の実行に際して必要なプログラム等をＲＯＭ２０２あるいは外部メモリ２１２からＲＡＭ２０３にロードして、該ロードしたプログラムを実行することで各種動作を実現するものである。
【００３７】
また、２０５は入力コントローラで、図２のキー入力部２１０からの入力を制御する。
【００３８】
２０６はビデオコントローラで、例えば、液晶ディスプレイや有機ＥＬディスプレイ等の表示部２１１への表示を制御する。
【００３９】
２０７はメモリコントローラで、ブートプログラム，各種のアプリケーション，フォントデータ，ユーザファイル，編集ファイル，各種データ等を記憶する外部メモリ（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ２１２へのアクセスを制御する。
【００４０】
２０８はプリンタインタフェース（プリンタＩ／Ｆ）コントローラで、プリンタ部２１３とコントローラユニット２１４を接続し、画像データの同期系／非同期系の変換を行う。
【００４１】
プリンタ部２１３は、ＣＰＵ２０１から印刷指示された印刷データを給紙部にセットされた用紙に印刷することが可能である。
【００４２】
プリンタ部２１３のプリント方式は、いわゆるサーマルプリンタ方式や微少ノズルアレイからインクを吐出して用紙上に直接画像を印字するインクジェット方式等があるが、どの方式でも構わない。プリント動作の起動は、ＣＰＵ２０１からの指示によって開始する。
【００４３】
なお、プリンタ部２１３が備える給紙部には、印刷可能な用紙が備え付けられており、ＣＰＵ２０１からの印刷指示がなされるとプリンタ部２１３を駆動して印刷処理を実行する。
【００４４】
２０９は通信インタフェース（通信Ｉ／Ｆ）コントローラで、ネットワーク（ネットワーク１０２や無線通信回線１０４，１０６など）を介して外部機器と接続し通信するものであり、ネットワークでの通信制御処理を実行する。例えば、ＴＣＰ／ＩＰを用いた通信や、無線通信（赤外線通信）等が可能である。
【００４５】
なお、ＣＰＵ２０１は、例えばＲＡＭ２０３内の表示情報用領域へアウトラインフォントの展開（ラスタライズ）処理を実行することにより、表示部２１１上での表示を可能としている。
【００４６】
また、ＣＰＵ２０１は、表示部２１１がタッチパネルの場合、表示画面をユーザがタッチすることにより、画面にタッチした位置に対応する指示を受け付けることを可能としている。
【００４７】
本発明を実現するための後述する各種プログラムは、外部メモリ２１２に記録されており、必要に応じてＲＡＭ２０３にロードされることによりＣＰＵ２０１によって実行されるものである。さらに、上記プログラムの実行時に用いられる定義ファイル及び各種情報テーブル（図８の顧客情報テーブルや図１４の設定情報）等も、外部メモリ２１２に格納されている。
【００４８】
図３は、本実施の形態に係るシステムの携帯端末（ＨＴ）１０３上で動作するソフトウェアのモジュール構成図である。
【００４９】
３０１は、携帯端末（ＨＴ）１０３のＨＤＤなどの外部メモリ２１２である。
【００５０】
外部メモリ２１２には、ＯＳ（オペレーティングシステム）３０２とアプリケーション（プログラム）３０３とが記憶されている。
【００５１】
図４は、携帯端末（ＨＴ）１０３のＣＰＵ２０１が実行するアプリケーション３０３の機能ブロック図である。
【００５２】
アプリケーション３０３には、基本部４０１と無線通信データ取得処理部４０２と印刷処理部４０３とを備えている。
【００５３】
図中のモジュール４０１、４０２、４０３は、ＣＰＵ２０１が、外部メモリ２１２に格納されたプログラム３０３をＲＡＭ２０３にロードして実行することにより実現される。
【００５４】
基本部４０１は、携帯端末１０３の表示部２１１の表示制御処理及び検査データの登録処理に係る機能を有する。
【００５５】
無線通信データ取得処理部４０２は、携帯端末１０３が、ガスメータに備え付けられた無線検針ユニット（子機）と無線検針ユニット（親機）とを介して、ガスメータと通信を行い、該ガスメータに記憶された検針データを取得する機能を有する。
【００５６】
印刷処理部４０３は、携帯端末１０３のプリンタ部２１３からの帳票（図１３）の印刷処理を行う機能を有する。
【００５７】
図５は、本実施の形態に係る携帯端末（ＨＴ）１０３のＣＰＵ２０１が実行する処理を示すフローチャートである。
【００５８】
すなわち、図５に示すフローチャートの処理は、図２に示す携帯端末１０３のＣＰＵ２０１がＲＯＭ２０２又は外部メモリ２１２からＲＡＭ２０３等に読み出したアプリケーション３０３を実行することにより実現される。
【００５９】
まず、携帯端末１０３のＣＰＵ２０１は、アプリケーション３０３を実行すると、図９に示す顧客情報入力画面を表示する（ステップＳ５０１）。
【００６０】
図９は、ガスメータを特定するためのお客様番号を入力する顧客情報入力画面の一例を示す図である。
【００６１】
顧客情報入力画面には、顧客を特定するための情報であるお客様番号の入力欄９０１と、検索ボタン９０２が表示されている。一般に、顧客毎にガスメータ（検針装置）が１つしかない場合が多いため、ここで入力されるお客様番号は、ガスメータを特定する情報でもある。ここでは、お客様番号を入力するとしたが、ガスメータを特定する情報であるメータＩＤを入力し、顧客情報テーブルのレコードを検索してもよい。
【００６２】
そして、ユーザ（検針員）は、携帯端末１０３のキー入力部２１０からお客様番号を入力すると、携帯端末１０３のＣＰＵ２０１は、入力されたお客さま番号をお客様番号表示部９０１に表示する。
【００６３】
そして、携帯端末１０３のＣＰＵ２０１は、ユーザ（検針員）により検索ボタン９０２が押下されると、入力されたお客様番号９０１と一致するレコードを顧客情報テーブル（図８）の中から検索し特定する（ステップＳ５０２）。
【００６４】
そして、携帯端末１０３のＣＰＵ２０１は、ステップＳ５０２で特定されたレコードを顧客情報テーブル（図８）の中から取得する（ステップＳ５０３）。
【００６５】
例えば、顧客情報入力受付画面（図９）で、キー入力部２１０から「１」が入力された場合、顧客情報テーブル（図８）の「お客様番号」が「１」である「レコードＩＤ」が「１」のレコードが検索結果として検針端末（ＨＴ）１０３内のＲＡＭ２０３に保持される。
【００６６】
次に、携帯端末１０３のＣＰＵ２０１は、ステップＳ５０３で取得したレコードの中の「検針方法」が「無線」であるか、それとも「手入力」であるかを判定する（ステップＳ５０４）。ここで、項目「検針方法」について説明する。
【００６７】
無線検針ユニット（親機）１０５と無線検針ユニット（子機）１０７とを介して、携帯端末１０３と無線通信を行うことが可能であるガスメータには、「検針方法」に「無線」と設定されている。すなわち、ガスメータが記憶している検針データを、無線通信により携帯端末１０３が取得することができることを示している。
【００６８】
また、携帯端末１０３と無線通信を行うことが不可能なガスメータの「検針方法」には「手入力」と設定されている。これは、ガスメータの表示部にガスの使用量（検針データ）が表示されており、ユーザがそれを見て携帯端末１０３のキー入力部２１０から、表示された検針データを手入力することにより検針データを携帯端末に登録しなければならないことを示している。
【００６９】
図５のフローチャートの説明に戻る。
【００７０】
次に、携帯端末１０３のＣＰＵ２０１は、ステップＳ５０４で、ステップＳ５０３で取得したレコードの中の「検針方法」が「無線」であると判定した場合は（ステップＳ５０４：ＹＥＳ）、処理をステップＳ５０５に移行し、一方、ステップＳ５０３で取得したレコードの中の「検針方法」が「手入力」であると判定した場合は（ステップＳ５０４：ＮＯ）、処理をステップＳ５０６に移行する。
【００７１】
次に、ステップＳ５０５において、携帯端末１０３のＣＰＵ２０１は、無線検針ユニット（親機）１０５と無線検針ユニット（子機）１０７とを介して、無線通信により、ガスメータから該ガスメータが記憶している検針データを取得し、ステップＳ５０３で検索されたレコードの「検針情報」の項目に、取得した検針データを記憶する。ステップＳ５０５の詳細処理については、図６を用いて後で詳細に説明する。
【００７２】
そして、携帯端末１０３のＣＰＵ２０１は、ステップＳ５０５で取得した検針データを、ステップＳ５０３で検索されたレコードの「検針情報」の項目に記憶すると、図１１に示す印刷指示画面を表示する（ステップＳ５０９）。
【００７３】
印刷指示画面には、印刷対象となるお客様番号と、キャンセルボタン１１０２と、印刷ボタン１１０１が表示されている。
【００７４】
ステップＳ５０６において、携帯端末１０３のＣＰＵ２０１は、検針データ入力画面（図１０）を表示する。図１０は、検針データを入力する検針データ入力画面の一例を示す図である。
【００７５】
ここで、検針データ入力画面（図１０）には、ステップＳ５０２で検索されたお客様番号と、検針データの入力欄１００１と登録ボタン１００２とが表示されている。
【００７６】
この場合は、ステップＳ５０２で特定された顧客の検針装置（ガスメータ）が無線による通信が行えないガスメータであることを示している。したがって、ユーザは、ガスメータの表示部に表示された検針データを見て、携帯端末１０３のキー入力部２１０から当該検針データの入力を行う。そして、当該入力を受け付けた携帯端末１０３のＣＰＵ２０１は、入力された検針データを検針データの入力欄１００１に表示する（ステップＳ５０６）。
【００７７】
そして、携帯端末１０３のＣＰＵ２０１は、ユーザにより登録ボタン１００２を押下されたことを検知すると、ステップＳ５０３で検索されたレコードの「検針情報」の項目に、当該検知した検針データを記憶（登録）し（ステップＳ５０８）、処理をステップＳ５０９に移行する。
【００７８】
携帯端末１０３のＣＰＵ２０１は、ステップＳ５０９において、印刷指示画面（図１１）の印刷ボタン１１０１がユーザにより押下されたか否かを判定する。
【００７９】
図１１は、印刷指示画面の一例を示す図である。
【００８０】
携帯端末１０３のＣＰＵ２０１は、ステップＳ５０９において、表示された印刷指示画面（図１１）のキャンセルボタン１１０２がユーザにより押下されたと判定すると（ステップＳ５０９：ＮＯ）、処理をステップＳ５１２に移行する。一方、印刷指示画面（図１１）の印刷ボタン１１０１がユーザにより押下されたと判定すると（ステップＳ５１０：ＹＥＳ）、処理をステップＳ５１１に移行する。
【００８１】
ステップＳ５０９で、印刷指示画面（図１１）の印刷ボタン１１０１がユーザにより押下されたと判定された場合、携帯端末１０３のＣＰＵ２０１は、ステップＳ５０５又はステップＳ５０８で記憶された顧客の検針データと該検針データとから算出される請求料金とを含む帳票（図１３）の印刷（出力）処理を実行する（ステップＳ５１１）。ステップＳ５１１の詳細処理については、図７を用いて詳細に後で説明する。
【００８２】
印刷（出力）処理が終了した後、又はステップＳ５１０でキャンセルボタン１１０２が押下されたと判定された後に、携帯端末１０３のＣＰＵ２０１は、携帯端末１０３のキー入力部２１０から終了指示がされたか否かを判定する（ステップＳ５１２）。そして、キー入力部２１０から終了指示がされたと判定した場合は（ステップＳ５１２：ＹＥＳ）、アプリケーション３０３の終了処理を実行しアプリケーションの実行を終了する（ステップＳ５１３）。また、終了指示がされていないと判定した場合は（ステップＳ５１２：ＮＯ）、処理をステップＳ５０１に移行する。
【００８３】
次に、図５のステップＳ５０５の詳細処理について、図６を用いて説明する。
【００８４】
図６は、携帯端末（ＨＴ）１０３のＣＰＵ２０１がステップＳ５０５において実行する詳細処理を示したフローチャートである。
【００８５】
すなわち、図６に示すフローチャートの処理は、図２に示す携帯端末１０３のＣＰＵ２０１がＲＯＭ２０２又は外部メモリ２１２からＲＡＭ２０３等に読み出したアプリケーション３０３を実行することにより実現される。
【００８６】
まず、携帯端末１０３のＣＰＵ２０１は、ステップＳ５０３で取得したレコードの「エリア番号」と同じで、かつ「検針方法」が「無線」のレコード（計測装置）を顧客情報テーブル（図８）の中を検索して特定する（ステップＳ６０１）。
【００８７】
そして、携帯端末１０３のＣＰＵ２０１は、ステップＳ６０１で特定されたレコードを取得する（ステップＳ６０２）。
【００８８】
例えば、顧客情報入力受付画面（図９）で、キー入力部２１０から「１」が入力された場合、顧客情報テーブル（図８）のレコードＩＤが「１」と「３」と「５」が検索結果として検針端末（ＨＴ）１０３内のＲＡＭ（２０３）に保持される。
【００８９】
次に、携帯端末１０３のＣＰＵ２０１は、ステップＳ６０３において、ステップＳ６０２で取得したレコードの計測装置と無線通信を開始する処理を実行する。
【００９０】
次に、携帯端末１０３のＣＰＵ２０１は、ステップＳ６０４において、携帯端末（ＨＴ）１０３の画面非表示（照明ＯＦＦ）処理を行う。
【００９１】
ここで画面非表示処理とは、表示部２１１に表示された画面の表示を終了させる処理、又は、表示部２１１に表示された画面の輝度を低下させ画面を暗くさせる処理をいう。
【００９２】
すなわち、携帯端末１０３の表示部２１１の画面表示のために消費される電力を減らすことにより、画面を暗くするか表示を終了させることができる。
【００９３】
具体的には、アプリケーション３０３がＯＳ３０２対してその指示を行う処理である。
【００９４】
例えば、表示部２１１が液晶ディスプレイの場合であれば、バックライトの照明を終了させるようＯＳ３０２に対して指示することにより、表示部２１１の明るさを暗くすることができる。
【００９５】
次に、携帯端末１０３のＣＰＵ２０１は、ステップＳ６０５において、ステップＳ６０２で取得したレコードのお客様情報又はメータＩＤから特定されるガスメータ（検針装置）から、該ガスメータが記憶している検針データを、無線通信を介して取得する。
【００９６】
次に、携帯端末１０３のＣＰＵ２０１は、ステップＳ６０６において、ステップＳ６０５で検針データを取得できたか否か判定する。
【００９７】
携帯端末１０３のＣＰＵ２０１は、ステップＳ６０５で検針データを取得できたと判定した場合、ステップＳ６０５で検針データを取得したガスメータの、ステップＳ６０２で取得したレコードの「検針情報」に、取得した検針データと検針データから算出された請求料金とを記憶（登録）する（ステップＳ６０７）。
【００９８】
一方、ステップＳ６０６で検針データをガスメータから取得できなかったと判定された場合、携帯端末１０３のＣＰＵ２０１は、検針データが取得出来なかったことを示す不図示のエラー画面を表示する（ステップＳ６０８）。
【００９９】
携帯端末１０３のＣＰＵ２０１は、ステップＳ６０７で検針データの登録を行った後、又は、ステップＳ６０８でエラー画面を表示した後、ステップＳ６０２で取得した全レコードの顧客（検針装置）に対して検針データを取得したか否かを判定し（ステップＳ６０９）、取得していと判定された場合は（ステップＳ６０９：ＮＯ）、ステップＳ６０２で取得したレコードの顧客の検針装置に対して無線通信を開始するための処理を実行する（ステップＳ６１１）。そして、携帯端末１０３のＣＰＵ２０１は、ステップＳ６１１で次の検針装置（ガスメータ）と無線通信すると、ステップＳ６０５に処理を移行する。
【０１００】
例えば、顧客情報入力受付画面（図９）で、キー入力部２１０から「１」が入力された場合、顧客情報テーブル（図８）のレコードＩＤが「１」と「３」と「５」にセットされているメータＩＤの無線検針ユニット（子機）１０７の３台を順番に無線通信にて検針データを取得する。
【０１０１】
このようにして、例えば、顧客情報入力受付画面（図９）で、キー入力部２１０から「１」が入力された場合、顧客情報テーブル（図８）のレコードＩＤが「１」と「３」と「５」にセットされているメータＩＤの無線検針ユニット（子機）１０７の３台から無線通信にて検針データを取得することができる。
【０１０２】
携帯端末１０３のＣＰＵ２０１は、ステップＳ６０９において、ステップＳ６０２で取得した全レコードの顧客（検針装置）に対して検針データを取得したと判定した場合は、携帯端末１０３の表示部２１１の画面の表示処理（画面表示（照明ＯＮ）処理）を行う（ステップＳ６１０）。
【０１０３】
ここで、画面の表示処理とは、表示部２１１に表示された画面の表示を開始する処理、又は、表示部２１１に表示された画面の輝度を上昇させ画面を明るくさせる処理をいう。
【０１０４】
すなわち、携帯端末１０３の表示部２１１の画面表示のために消費される電力を増やすことにより、画面を明るくするか表示を開始させることができる。
【０１０５】
具体的には、アプリケーション３０３がＯＳ３０２対してその指示を行う処理である。
【０１０６】
例えば、表示部２１１が液晶ディスプレイの場合であれば、バックライトの照明を点灯（開始）させるようＯＳ３０２に対して指示することにより、表示部２１１の明るさを明るくすることができる。
【０１０７】
次に、携帯端末１０３のＣＰＵ２０１は、ステップＳ６１０の処理を実行した後、処理を図５に示すステップＳ５０９に移行する。
【０１０８】
次に、図５のステップＳ５１１の詳細処理について、図７を用いて説明する。
【０１０９】
図７は、携帯端末（ＨＴ）１０３のＣＰＵ２０１がステップＳ５１１において実行する詳細処理を示したフローチャートである。
【０１１０】
すなわち、図７に示すフローチャートの処理は、図２に示す携帯端末１０３のＣＰＵ２０１がＲＯＭ２０２又は外部メモリ２１２からＲＡＭ２０３等に読み出したアプリケーション３０３を実行することにより実現される。
【０１１１】
まず、携帯端末１０３のＣＰＵ２０１は、ステップＳ７０１において、ステップＳ５０３で取得したレコードの「エリア番号」と同じで、かつ「検針方法」が「無線」のレコード（計測装置）を顧客情報テーブル（図８）の中を検索して特定する（ステップＳ７０１）。ただし、ここでの処理は、ステップＳ６０１の処理と同一であるので、ステップＳ６０１の処理結果を記憶していれば、ステップＳ７０１及びステップＳ７０２を実行しなくてもよい。
【０１１２】
そして、携帯端末１０３のＣＰＵ２０１は、ステップＳ７０１で特定されたレコードを取得する（ステップＳ７０２）。
【０１１３】
次に、携帯端末１０３のＣＰＵ２０１は、外部メモリ２１２に記憶されている閾値（図１４）を取得する（ステップＳ７０３）。ここで図１４に示す閾値は、印刷対象となるステップＳ７０２又はステップＳ６０２で検索されたレコードのガスメータ（計測装置）の数が多いか少ないかを示す指標である。すなわち、閾値はガスメータの数と比較するための数である。
【０１１４】
図１４は、携帯端末（ＨＴ）１０３内の外部メモリ２１２に記憶されている閾値を含む設定情報テーブルである。
【０１１５】
次に、携帯端末１０３のＣＰＵ２０１は、ステップＳ７０２又はステップＳ６０２で取得したレコードの数、即ち帳票の印刷対象となるガスメータ（計測装置）の数が、ステップＳ７０３で取得した閾値よりも多いか否かを判定する（ステップＳ７０４）。そして、携帯端末１０３のＣＰＵ２０１は、帳票の印刷対象となるガスメータ（計測装置）の数が、ステップＳ７０３で取得した閾値よりも多いと判定された場合は（ステップＳ７０４：ＹＥＳ）、表示部２１１の表示画面の非表示処理を実行する（ステップＳ７０５）。ステップＳ７０５の処理は、上述したステップＳ６０４と同じ処理である。従ってここでは説明を省くこととする。
【０１１６】
一方、携帯端末１０３のＣＰＵ２０１は、帳票の印刷対象となるガスメータ（計測装置）の数が、ステップＳ７０３で取得した閾値以下であると判定された場合は（ステップＳ７０４：ＮＯ）、ステップＳ７０６に処理を移行する。
【０１１７】
携帯端末１０３のＣＰＵ２０１は、ステップＳ７０５で画面の非表示処理を実行した後、ステップＳ７０２又はステップＳ６０２で取得した各レコードの「検針情報」に記憶された、今回記憶した検針データと該検針データから算出される請求料金とを含む帳票（図１３）の印刷（出力）処理を実行する（ステップＳ７０６）。これにより、携帯端末１０３のプリンタ部２１３から帳票が出力される。
【０１１８】
そして、携帯端末１０３のＣＰＵ２０１は、ステップＳ７０２又はステップＳ６０２で取得した各レコードの「検針情報」の印刷が終了したか否かを判定し（ステップＳ７０７）、終了したと判定した判定した場合は、表示部２１１の画面の表示処理を実行する（ステップＳ７０８）。一方、印刷処理が終了していないと判定した場合は、処理をステップＳ７０６に移行し、印刷処理が終了するまで画面の非表示状態にする。
【０１１９】
ステップＳ７０８の画面の表示処理は、ステップＳ６１０と同じ処理であるため、ここでは説明を省く。
【０１２０】
図１３は、ステップＳ７０６において携帯端末（ＨＴ）１０３のプリンタ部２１３から出力された帳票１０８の一例を示す図である。
【０１２１】
以上説明したように、本実施の形態によれば、計測装置との通信により計測データを取得する際の携帯端末の電池の消費電力を削減することにより、携帯端末の電池を効率的に使用することができる。
【０１２２】
また、計測装置との通信により計測データを取得する際に、携帯端末の電池の消費電力を削減することにより、携帯端末の電池を効率的に使用すると共に煩雑な操作を軽減することができる。
【０１２３】
また、本実施の形態によれば、帳票の印刷対象となるガスメータの数がある一定数以上の場合（無線通信により検針データを取得した場合）は、印刷処理に多くの時間かかるため、その印刷処理を実行している間は、画面の表示を非表示にさせることにより、又は終了させることにより、携帯端末の電池の消費電力を削減することができ、携帯端末の電池を効率的に使用することができる。
【０１２４】
本発明は携帯端末（ＨＴ）１０３のディスプレイ２１１を確認する必要のない場合を特定し、ディスプレイの非表示処理（照明ＯＦＦ）を行うことで携帯端末（ＨＴ）１０３の消費電力の節約を実現できる。
【０１２５】
また、従来では、ディスプレイ２１１のバックライトの点灯時間を必要最低限に設定していたため、携帯端末（ＨＴ）１０３を操作する際に、ディスプレイ２１１の照明がＯＦＦされている場合に、携帯端末（ＨＴ）１０３の操作性が損なわれ、生産性を低下させていた問題が本発明で解消する事ができ、携帯端末（ＨＴ）１０３の操作性を損なうことなく携帯端末（ＨＴ）１０３の消費電力を節約することができる。
【０１２６】
［第２の実施形態］
以下、本発明の第２の実施の形態について図１２を参照して説明する。
【０１２７】
図１２は、携帯端末（ＨＴ）１０３のＣＰＵ２０１がステップＳ５０５において実行する詳細処理を示したフローチャートである。
【０１２８】
すなわち、図１２に示すフローチャートの処理は、図２に示す携帯端末１０３のＣＰＵ２０１がＲＯＭ２０２又は外部メモリ２１２からＲＡＭ２０３等に読み出したアプリケーション３０３を実行することにより実現される。
【０１２９】
図１２に示すフローチャートは、図６に示すフローチャートの変形例であり、図６に示すフローチャートと同一の処理については同一の符号を付している。第２の実施の形態では、図１２において、図６と異なる処理についてのみ説明を行う。
【０１３０】
図６と異なる点は、図６に示すステップＳ６０２とステップＳ６０３の間に、ステップＳ１２０１とステップＳ１２０２の処理が追加されている点である。
【０１３１】
したがって、ステップＳ１２０１とステップＳ１２０２の処理について説明を行う。
【０１３２】
まず、携帯端末１０３のＣＰＵ２０１は、外部メモリ２１２に記憶された閾値（図１４）を取得する（ステップＳ１２０１）。
【０１３３】
そして、ステップＳ６０２で取得したレコードの数、即ちガスメータの数が、ステップＳ１２０１で取得した閾値よりも多いか否かを判定する（ステップＳ１２０２）。
【０１３４】
そして、ガスメータの数が、ステップＳ１２０１で取得した閾値よりも多いと判定された場合は（ステップＳ１２０２：ＹＥＳ）、ステップＳ６０３に処理を移行し、ステップＳ６０４で画面の非表示処理を実行する。
【０１３５】
一方、ガスメータの数が、ステップＳ１２０１で取得した閾値以下であると判定された場合は（ステップＳ１２０２：ＮＯ）、ステップＳ６０４の画面の非表示処理を実行することなく、ステップＳ６０５に処理を移行する。
【０１３６】
以上説明したように、本実施の形態によれば、無線通信により検針データを取得するガスメータの数がある一定以上の場合は、検針データを取得するまでに多くの時間が掛かるため、検針データを取得する間、携帯端末の画面を非表示にさせることで、携帯端末の電池の消費電力を削減することができる。即ち、携帯端末の電池を効率的に使用することができる。
【０１３７】
以上、本発明の一実施形態を詳述したが、本発明は、例えば、システム、装置、方法、プログラムもしくは記憶媒体等としての実施態様をとることが可能であり、具体的には、複数の機器から構成されるシステムに適用しても良い。
【０１３８】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０１３９】
この場合、記憶媒体から読み出された、コンピュータ読み取り実行可能なプログラムコード自体が前述した実施形態の機能を実現することになり、プログラムコード自体及びそのプログラムコードを記憶した記憶媒体は本発明を構成することになる。
【０１４０】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１４１】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【０１４２】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【０１４３】
【図１】本実施の形態に係るシステム構成を概略的に示すブロック図である。
【図２】携帯端末（ＨＴ）１０３のハードウェア構成を概略的に示すブロック図である。
【図３】本実施の形態に係るシステムの携帯端末（ＨＴ）１０３上で動作するソフトウェアのモジュール構成図である。
【図４】携帯端末（ＨＴ）１０３のＣＰＵ２０１が実行するアプリケーションの機能ブロック図である。
【図５】本実施の形態に係る携帯端末（ＨＴ）１０３のＣＰＵ２０１が実行する処理を示すフローチャートである。
【図６】携帯端末（ＨＴ）１０３のＣＰＵ２０１がステップＳ５０５において実行する詳細処理を示したフローチャートである。
【図７】携帯端末（ＨＴ）１０３のＣＰＵ２０１がステップＳ５１１において実行する詳細処理を示したフローチャートである。
【図８】顧客情報テーブルの一例を示す図である。
【図９】ガスメータを特定するためのお客様番号を入力する顧客情報入力画面の一例を示す図である。
【図１０】検針データを入力する検針データ入力画面の一例を示す図である。
【図１１】印刷指示画面の一例を示す図である。
【図１２】携帯端末（ＨＴ）１０３のＣＰＵ２０１がステップＳ５０５において実行する詳細処理を示したフローチャートである。
【図１３】ステップＳ７０６において携帯端末（ＨＴ）１０３のプリンタ部２１３から出力された帳票１０８の一例を示す図である。
【図１４】携帯端末（ＨＴ）１０３内の外部メモリ２１２に記憶されている閾値を含む設定情報テーブルである。
【符号の説明】
【０１４４】
１０１    サーバ
１０２    ネットワーク
１０３    携帯端末（ＨＴ）
【図１】
2010147734.tif 000003
【図２】
2010147734.tif 000004
【図３】
2010147734.tif 000005
【図４】
2010147734.tif 000006
【図５】
2010147734.tif 000007
【図６】
2010147734.tif 000008
【図７】
2010147734.tif 000009
【図８】
2010147734.tif 000010
【図９】
2010147734.tif 000011
【図１０】
2010147734.tif 000012
【図１１】
2010147734.tif 000013
【図１２】
2010147734.tif 000014
【図１３】
2010147734.tif 000015
【図１４】
2010147734.tif 000016